(57)【要約】【課題】従来の技術では、ユーザのボタン操作以外では撮影モードの切り換えが出来ない。【解決手段】３Ｄ画像撮影装置は、レンズＬ及びレンズＲと、レンズＬへのレンズキャップの装着状態を検出するレンズキャップ検出部Ｌ１０３と、レンズＲへのレンズキャップの装着状態を検出するレンズキャップ検出部Ｒ１０４と、各レンズへのレンズキャップの装着状態と撮影モードとの関係を特定するテーブルを保持するＲＯＭ１１２と、レンズキャップ検出部Ｌ１０３及びレンズキャップ検出部Ｒ１０４によって得られた検出結果と、上記テーブルとに基づいて、撮影モードを切り換える制御部１１０とを有する。【選択図】図２
2011059278.tif 000002
【特許請求の範囲】
【請求項１】
複数のレンズと、
前記各レンズへのレンズキャップの装着状態を検出するレンズキャップ検出部と、  前記各レンズへのレンズキャップの装着状態と撮影モードとの関係を特定するテーブルを保持する第１の保持部と、
前記レンズキャップ検出部によって得られた検出結果と、前記テーブルとに基づいて、撮影モードを切り換える制御部と
を備えることを特徴とする画像撮影装置。
【請求項２】
撮影モードに対応するメッセージを保持する第２の保持部と、
前記制御部によって切り換えられた撮影モードに対応して前記第２の保持部によって保持されているメッセージを表示する表示部と
を備えることを特徴とする請求項１に記載の画像撮影装置。
【請求項３】
各部へ電力を供給する電源部と、
前記各レンズに対応する複数の撮影光学部と
を備え、
前記制御部は、全ての前記レンズにレンズキャップが装着されていていずれの撮影モードにおいても撮影の実行不可能な状態が所定の時間経過した場合、前記撮影光学部及び前記電源部を省電力状態に制御することを特徴とする請求項１または２に記載の画像撮影装置。
【請求項４】
複数のレンズと、
第１の撮影モードの切り換え操作を行うための操作部と、
ユーザにより前記操作部に対して行われた操作に従って、前記第１の撮影モードを切り換える制御部と、
前記各レンズへのレンズキャップの装着状態を検出するレンズキャップ検出部と、  前記各レンズへのレンズキャップの装着状態に対応する第２の撮影モードとの関係を特定するテーブルを保持する保持部と、
前記第１の撮影モードと、前記第２の撮影モードとが一致しているか否かを判定する判定部と、
前記第１の撮影モードと前記第２の撮影モードが一致していないと前記判定部によって判定された場合、警告メッセージを表示する表示部と
を備えることを特徴とする画像撮影装置。
【請求項５】
各部へ電力を供給する電源部と、
前記各レンズに対応する複数の撮影光学部と
を備え、
前記制御部は、前記第１の撮影モードによる撮影の実行不可能な状態が所定の時間経過した場合、前記第１の撮影モードに対応しない前記撮影光学部と、前記電源部を省電力状態に制御することを特徴とする請求項４に記載の画像撮影装置。
【発明の詳細な説明】
【技術分野】
【０００１】
本発明は、複数のレンズを有する画像撮影装置に関する。
【背景技術】
【０００２】
従来、画像撮影装置を使用する際、レンズキャップをレンズに装着したまま撮影を開始してしまうといった問題があった。これに対し、レンズキャップがレンズに装着されていることを検出する検出手段をビデオカメラに設け、レンズキャップがレンズに装着されている場合には録画動作を禁止する技術が提案されている（例えば、特許文献１参照）。この技術により、レンズキャップをレンズに装着した状態での録画ミスを防止することが出来る。
【０００３】
また従来、撮影した画像を再生しようとする場合には、ボタン等を操作することによって撮影モードと再生モードとの切り換えを行う必要があった。これに対し、レンズキャップがレンズに嵌着されているか否かを判別する判別手段と、回路動作を切り換える回路動作切り換え手段とをビデオカメラ装置に設け、レンズキャップがレンズに嵌着されている場合にはレコーダーモード（再生モード）とし、嵌着されていない場合にはカメラモード（撮影モード）とする技術が提案されている（例えば、特許文献２参照）。この技術により、レンズキャップのレンズへの着脱に応じて、煩わしいボタン操作を行うことなく撮影モードと再生モードとを切り換えることが出来る。
【先行技術文献】
【特許文献】
【０００４】
【特許文献１】特開平５−３７８３６号公報
【特許文献２】特開平６−１４２２３号公報
【発明の概要】
【発明が解決しようとする課題】
【０００５】
近年、両眼視差を利用して画像を立体として認識させる３次元画像表示器（３Ｄ画像表示器）が登場してきた。３Ｄ画像表示器により撮影画像を表示するためには視差を有する複数の画像を同時に撮影する必要があるので、一般的な３次元画像撮影装置（３Ｄ画像撮影装置）は複数の撮影光学部を備えている。
【０００６】
通常、３Ｄ画像撮影装置は複数の撮影光学部のうちの１つを選択的に使用することで２次元画像（２Ｄ画像）の撮影も可能な構成となっているが、２Ｄ画像撮影のモードと３次元画像（３Ｄ画像）のモードとの切り換えは、ユーザがボタンを操作することにより行わなければならない。
【０００７】
２Ｄ画像撮影時には、使用されていない撮影光学部からの画像は表示画面に表示されないため、使用されていない撮影光学部に対応するレンズに物体が接近してきても、ユーザは接近してくる物体に気づきにくく、レンズの破損を招き易い。このため、ユーザは２Ｄ画像撮影時には使用していないレンズにレンズキャップを装着することによりレンズの破損防止に努めなければならない。つまり、ユーザは２Ｄ画像撮影時には、煩わしいボタン操作による撮影モード切り換え操作に加え、レンズキャップの装着作業も行わなければならない（第１の課題）。
【０００８】
また、３Ｄ画像撮影時には、レンズにレンズキャップを装着したまま３Ｄ画像を撮影するといった撮影ミスを起こす恐れもある（第２の課題）。
【０００９】
すなわち、特許文献１と特許文献２のどちらの提案も、ユーザのボタン操作以外では撮影モードの切り換えは出来ない。また、従来の複数のレンズを有する画像撮影装置では、ユーザによって選択された撮影モードに対応するレンズにレンズキャップが装着された状態でその撮影モードにより画像を撮影してしまうといった撮影ミスを防止することができない。
【００１０】
本発明は、以上の点に鑑みなされたもので、ユーザのボタン操作によらずに撮影モードを切り換える画像撮影装置を提供することを目的とする。また、本発明は、複数のレンズのうちのユーザによって選択された撮影モードに対応するレンズにレンズキャップが装着された状態でその撮影モードにより画像を撮影するといった撮影ミスを防止する画像撮影装置を提供することを目的とする。
【課題を解決するための手段】
【００１１】
上記課題を解決し上記目的を達成するために、本発明の画像撮影装置は、複数のレンズ（ａ，ｃ）と、各レンズへのレンズキャップ（ｂ，ｄ）の装着状態を検出するレンズキャップ検出部（１０３，１０４）と、各レンズへのレンズキャップの装着状態と撮影モードとの関係を特定するテーブルを保持する第１の保持部（１１２）と、レンズキャップ検出部によって得られた検出結果と、テーブルとに基づいて、撮影モードを切り換える制御部（１１０）とを有する。
【００１２】
本発明の画像撮影装置は、更に、撮影モードに対応するメッセージを保持する第２の保持部（１１２）と、制御部によって切り換えられた撮影モードに対応して第２の保持部によって保持されているメッセージを表示する表示部（１０７）とを有してもよい。
【００１３】
また、本発明の画像撮影装置は、更に、各部へ電力を供給する電源部（１１４）と、各レンズに対応する複数の撮影光学部（１０１，１０２）とを備え、制御部は、全ての前記レンズにレンズキャップが装着されていていずれの撮影モードにおいても撮影の実行不可能な状態が所定の時間経過した場合、前記撮影光学部及び前記電源部を省電力状態に制御するのが望ましい。
【００１４】
また、本発明の画像撮影装置は、複数のレンズと、第１の撮影モードの切り換え操作を行うための操作部（１０９）と、ユーザにより操作部に対して行われた操作に従って、第１の撮影モードを切り換える制御部と、各レンズへのレンズキャップの装着状態を検出するレンズキャップ検出部と、各レンズへのレンズキャップの装着状態に対応する第２の撮影モードとの関係を特定するテーブルを保持する保持部と、第１の撮影モードと、第２の撮影モードとが一致しているか否かを判定する判定部と、第１の撮影モードと前記第２の撮影モードが一致していないと前記判定部によって判定された場合、警告メッセージを表示する表示部とを有する。
【００１５】
また、本発明の画像撮影装置は、更に、各部へ電力を供給する電源部と、各レンズに対応する複数の撮影光学部とを備え、制御部は、第１の撮影モードによる撮影の実行不可能な状態が所定の時間経過した場合、第１の撮影モードに対応しない撮影光学部と、電源部を省電力状態に制御することが望ましい。
【発明の効果】
【００１６】
本発明は、ユーザのボタン操作によらずに撮影モードを切り換える画像撮影装置を提供することができる。すなわち、本発明の画像撮影装置により、ユーザは、煩わしいボタン操作を行うことなく、撮影モードを切り換えさせることが出来る。また、本発明は、複数のレンズのうちのユーザによって選択された撮影モードに対応するレンズにレンズキャップが装着された状態でその撮影モードにより画像を撮影するといった撮影ミスを防止する画像撮影装置を提供することができる。
【図面の簡単な説明】
【００１７】
【図１】本実施の形態における３Ｄ画像撮影装置の外観を説明するための図である。
【図２】本実施の形態における３Ｄ画像撮影装置の構成図である。
【図３】本実施の形態における３Ｄ画像撮像装置の全体動作を説明するフローチャートである。
【図４】本実施の形態におけるレンズキャップの装着状態と各状態との関係を説明するための図である。
【図５】本実施の形態における自動選択モード時のレンズキャップ装着状態に対する処理テーブルを示す図である。
【図６】本実施の形態における自動選択モード判定処理のフローチャートである。
【図７】本実施の形態における各撮影モードと撮影光学部の電力モードとの関係を説明するための図である。
【図８】本実施の形態における各撮影モードの電源処理のフローチャートである。
【図９】本実施の形態における手動選択モード時の各撮影モードに対する処理テーブルを示す図である。
【図１０】本実施の形態における３Ｄ撮影モード判定処理のフローチャートである。
【図１１】本実施の形態における２Ｄ撮影モードＬ判定処理のフローチャートである。
【図１２】本実施の形態における２Ｄ撮影モードＲ判定処理のフローチャートである。
【発明を実施するための形態】
【００１８】
まず、図１を用いて本実施の形態における３Ｄ画像撮影装置の外観を説明する。図１は３Ｄ画像撮影装置を真上から見た図であり、３Ｄ画像撮影装置は、視差のある２つの画像を撮影するために２つのレンズを備えている。レンズＬ（ａ）は左眼視点の画像を撮影するためのレンズであり、その保護のためのレンズキャップＬ（ｂ）を装着可能な構造となっている。レンズＲ（ｃ）は右眼視点の画像を撮影するためのレンズであり、その保護のためのレンズキャップＲ（ｄ）を装着可能な構造になっている。
【００１９】
ＬＣＤ（ｅ）は、撮影モード時には撮影中の画像を表示し、再生モード時には再生画像を表示する。動作モード切り換え用ボタン（ｆ）は、「自動選択」、「２Ｄ撮影モードＬ」、「２Ｄ撮影モードＲ」、「３Ｄ撮影モード」、及び、「再生モード」の５種類のモードのいずれかをユーザが選択するためのボタンである。
【００２０】
動作モード切り換え用ボタン（ｆ）により「自動選択」が選択された場合、３Ｄ画像撮影装置は、レンズキャップの装着状態に従い、「２Ｄ撮影モードＬ」、「２Ｄ撮影モードＲ」、及び、「３Ｄ撮影モード」の３つのモードの中からいずれかのモードをユーザ自ら選択する。動作モード切り換え用ボタン（ｆ）により「２Ｄ撮影モードＬ」が選択された場合、３Ｄ画像撮影装置は、レンズＬ（ａ）を使用して２Ｄ画像の撮影を行う。
【００２１】
動作モード切り換え用ボタン（ｆ）により「２Ｄ撮影モードＲ」が選択された場合、３Ｄ画像撮影装置は、レンズＲ（ｃ）を使用して２Ｄ画像の撮影を行う。動作モード切り換え用ボタン（ｆ）により「３Ｄ撮影モード」が選択された場合、３Ｄ画像撮影装置は、レンズＬ（ａ）とレンズＲ（ｃ）の両方を使用して視差のある２種類の画像を撮影する。
【００２２】
つまり、本実施の形態における３Ｄ画像撮影装置には、撮影モードとして、１つの自動選択モードと、３種類の手動選択モードとが実装されている。動作モード切り換え用ボタン（ｆ）により「再生モード」が選択された場合、３Ｄ画像撮影装置は、記録された画像を再生し、ＬＣＤ（Liquid Crystal Display）（ｅ）に表示する。
【００２３】
次に、図２を用いて本実施の形態における３Ｄ画像撮影装置の構成を説明する。撮影光学部Ｌ１０１及び撮影光学部Ｒ１０２は、撮影光学部制御部１０５の制御により撮影光を電気信号に変換したり、被写体にレンズの焦点を合わせる等の光学的な処理機能を実現する部分である。撮影光学部Ｌ１０１はレンズＬ（ａ）からの画像を取り扱い、撮影光学部Ｒ１０２はレンズＲ（ｃ）からの画像を取り扱う。レンズキャップ検出部Ｌ１０３は、レンズキャップＬ（ｂ）がレンズＬ（ａ）に装着されているかどうかを検出する部分である。レンズキャップ検出部Ｒ１０４は、レンズキャップＲ（ｄ）がレンズＲ（ｃ）に装着されているかどうかを検出する部分である。
【００２４】
撮影光学部制御部１０５は、制御部１１０の制御により、撮影光学部Ｌ１０１と撮影光学部Ｒ１０２の動作のＯＮ／ＯＦＦ制御、及び省電力制御を行う部分である。記録部１０６は、撮影光学部Ｌ１０１及び撮影光学部Ｒ１０２からの撮影画像を、磁気テープ、ＨＤＤ、磁気ディスク、メモリ、又は、光ディスク等の記録メディアに記録する部分である。画像表示部１０７は、制御部１１０の制御により、撮影画像や撮影時刻等の撮影に関連する情報や、記録された後に再生された画像を表示する。画像表示部１０７は、制御部１１０の制御により、メッセージ送出部１０８から送出される各種メッセージも表示する。なお、ＬＣＤ（ｅ）は画像表示部１０７に属する。ただし、ＬＣＤ（ｅ）は液晶ディスプレイには限定されず、有機ＥＬ（Electro-Luminescence）等とすることも可能である。
【００２５】
メッセージ送出部１０８は、制御部１１０の制御により警告メッセージや装置の動作モードをユーザに知らせるためのメッセージを画像表示部１０７に送出する部分である。操作部１０９は、撮影や再生に対する操作の入力、及びズーム速度設定等の撮影や再生に関する各種設定値の入力をユーザが行う部分であり、図１の動作モード切り換え用ボタン（ｆ）は操作部１０９に属する。
【００２６】
制御部１１０は、撮影、再生、及び表示等の処理全般を制御する部分である。制御部１１０は、例えば、撮影モードやレンズキャップ装着状態判定部１１１による判定結果に応じた撮影光学部制御部１０５の制御、記録や再生のための記録部１０６の制御、画像表示部１０７の制御、メッセージを送出するメッセージ送出部１０８の制御、操作部１０９からの操作入力の読み取り、及び、レンズキャップ装着状態判定部１１１による判定結果に基づいた電源部１１４の制御等を行う。
【００２７】
制御部１１０の内部にはレンズキャップ装着状態判定部１１１が設けられており、レンズキャップ装着状態判定部１１１は、操作部１０９から得られる動作モード切り換え用ボタン（ｆ）の状態と、レンズキャップ検出部Ｌ１０３及びレンズキャップ検出部Ｒ１０４から得られるレンズキャップの装着状態と、後述するＲＯＭ１１２内の各種処理テーブルとに従って、動作モードの決定、表示メッセージの選択、及び、所定時間経過後の省電力モード移行処理の要否判定を行い、処理結果を制御部１１０に通知する部分である。制御部１１０は、その処理結果に基づいて、撮影光学部制御部１０５、記録部１０６、画像表示部１０７、メッセージ送出部１０８、及び、電源部１１４を制御する。
【００２８】
ＲＯＭ１１２は、レンズキャップ装着状態判定部１１１により使用される各種の処理テーブルと、制御部１１０の動作のためのプログラムとを保持する部分である。ＲＡＭ１１３は、一時的なデータの保存や演算時のワーク領域として使用される。電源部１１４は、３Ｄ画像撮影装置の各構成部へ電力を供給する部分であり、制御部１１０の制御により通常モードと省電力モードとの切り換えが可能になっている。
【００２９】
次に、図３から図１２を用いて、本実施の形態における３Ｄ画像撮影装置の動作を説明する。
【００３０】
まず、図３を用いて３Ｄ画像撮像装置の全体動作を説明する。制御部１１０内のレンズキャップ装着状態判定部１１１は、操作部１０９から得られる動作モード切り換え用ボタン（ｆ）がどの動作モードになっているのかを検出する（ステップＳ０１）。上述したように、動作モードとして、「自動選択」、「２Ｄ撮影モードＬ」、「２Ｄ撮影モードＲ」、「３Ｄ撮影モード」、及び、「再生モード」の５種類のモードが存在し、レンズキャップ装着状態判定部１１１は、それら５種類のモードのうちのどの動作モードが選択されているのかを検出する。
【００３１】
次に、レンズキャップ装着状態判定部１１１は、レンズキャップ検出部Ｌ１０３からレンズキャップＬ（ｂ）の現在の装着状態を取得するとともに、レンズキャップ検出部Ｒ１０４からレンズキャップＲ（ｄ）の現在の装着状態を取得する（ステップＳ０２）。
【００３２】
次に、レンズキャップ装着状態判定部１１１は、動作モード切り換え用ボタン（ｆ）が自動選択モードになっているかどうかを判定し（ステップＳ０３）、自動選択モードが選択されている場合（ステップＳ０３：ＹＥＳ）には、後述する自動選択モード判定処理が実行される（ステップＳ０４）。他方、自動選択モードが選択されていない場合（ステップＳ０３：ＮＯ）、レンズキャップ装着状態判定部１１１は、３Ｄ撮影モードが選択されているかどうかを判定する（ステップＳ０５）。
【００３３】
３Ｄ撮影モードが選択されている場合（ステップＳ０５：ＹＥＳ）、後述する３Ｄ撮影モード判定処理が実行される（ステップＳ０６）。他方、３Ｄ撮影モードが選択されていない場合（ステップＳ０５：ＮＯ）、レンズキャップ装着状態判定部１１１は、２Ｄ撮影モードＬが選択されているかどうかを判定する（ステップＳ０７）。２Ｄ撮影モードＬが選択されている場合（ステップＳ０７：ＹＥＳ）、後述する２Ｄ撮影モードＬ判定処理が実行される（ステップＳ０８）。他方、２Ｄ撮影モードＬが選択されていない場合（ステップＳ０７：ＮＯ）、レンズキャップ装着状態判定部１１１は、２Ｄ撮影モードＲが選択されているかどうかを判定する（ステップＳ０９）。
【００３４】
２Ｄ撮影モードＲが選択されている場合（ステップＳ０９：ＹＥＳ）、後述する２Ｄ撮影モードＲ判定処理が実行される（ステップＳ１０）。他方、２Ｄ撮影モードＲが選択されていない場合（ステップＳ０９：ＮＯ）、レンズキャップ装着状態判定部１１１は、制御部１１０に対して再生処理を実行するように通知し（ステップＳ１１）、制御部１１０は、再生処理を行うように各部を制御する。ユーザによって、動作モード切り換え用ボタン（ｆ）、レンズキャップＬ（ｂ）、及び、レンズキャップＲ（ｄ）の設定の全部又は一部が変更された場合には、その変更内容に応じた処理を行う必要があるので、常時、ステップＳ０１〜ステップＳ１１の処理が繰り返される。
【００３５】
次に、図４から図６を用いて自動選択モード判定処理を説明する。尚、以降の説明で使用する状態１から状態４は、レンズキャップの装着状態を示し、その詳細は図４に示す通りである。
【００３６】
図４に示すように、レンズキャップＬ（ｂ）及びレンズキャップＲ（ｄ）が共に非装着の場合の状態を状態１とし、レンズキャップＬ（ｂ）が非装着であって、レンズキャップＲ（ｄ）が装着されている場合の状態を状態２とする。レンズキャップＬ（ｂ）が装着されており、レンズキャップＲ（ｄ）が非装着である場合の状態を状態３とし、レンズキャップＬ（ｂ）及びレンズキャップＲ（ｄ）が共に装着されている場合の状態を状態４とする。
【００３７】
次に、図５を用いて自動選択モード時のレンズキャップ装着状態に対する処理テーブル（データ）を説明する。この自動選択モード時のレンズキャップ装着状態に対する処理テーブルはＲＯＭ１１２に格納されており、レンズキャップ装着状態判定部１１１は、この処理テーブルとレンズキャップの装着状態とから、撮影モードの決定、表示メッセージの選択、及び、所定時間経過後の省電力モード移行処理の要否判定を行う。
【００３８】
図５において、Ａ欄は図４で示したレンズキャップＬ（ｂ）とレンズキャップＲ（ｄ）の装着状態を示しており、Ｂ欄はその個々の状態に対するレンズキャップの状態を示している。Ｃ欄は自動選択される撮影モードを示している。Ｄ欄、Ｅ欄はメッセージ送出部１０８より送出され画像表示部１０７により表示される表示メッセージの番号と表示内容を示しており、Ｆ欄は電源部１１４の最終的な動作モードを示している。
【００３９】
レンズキャップの装着状態が状態１の場合には左右のレンズ共に撮影可能な状態なので、３Ｄ撮影モードが選択され（Ｃ欄）、画像表示部１０７にはメッセージ１の「３Ｄ撮影モードで動作中です。」（Ｄ欄、Ｅ欄）が表示される。３Ｄ撮影モードは、通常撮影が可能な撮影モードなので、電源部１１４からは通常モードで電力が供給される（Ｆ欄）。
【００４０】
レンズキャップの装着状態が状態２の場合にはレンズＬ（ａ）のみ撮影可能な状態なので、２Ｄ撮影モードＬが選択され（Ｃ欄）、画像表示部１０７にはメッセージ２の「２Ｄ撮影モード（左）で動作中です。」（Ｄ欄、Ｅ欄）が表示される。２Ｄ撮影モードＬは、通常撮影が可能な撮影モードなので、電源部１１４からは通常モードで電力が供給される（Ｆ欄）。
【００４１】
レンズキャップの装着状態が状態３の場合にはレンズＲ（ｃ）のみ撮影可能な状態なので、２Ｄ撮影モードＲが選択され（Ｃ欄）、画像表示部１０７にはメッセージ３の「２Ｄ撮影モード（右）で動作中です。」（Ｄ欄、Ｅ欄）が表示される。２Ｄ撮影モードＲは、通常撮影が可能な撮影モードなので、電源部１１４からは通常モードで電力が供給される（Ｆ欄）。
【００４２】
レンズキャップの装着状態が状態４の場合には、レンズＬ（ａ）、レンズＲ（ｃ）共に撮影不可能な状態なので、いずれの撮影モードも選択されず（Ｃ欄）、画像表示部１０７にはメッセージ４の「レンズキャップを外して下さい。」（Ｄ欄、Ｅ欄）が表示される。この状態では通常撮影は不可能なので、所定時間が経過しても同じ状態が継続している場合には、制御部１１０により電源部１１４の電力モードは省電力モードに移行する（Ｆ欄）。
【００４３】
次に、図６を用いて自動選択モード判定処理を説明する。
【００４４】
レンズキャップ装着状態判定部１１１は、ステップＳ０２で取得したレンズキャップＬ（ｂ）及びレンズキャップＲ（ｃ）の装着状態と、図５の処理テーブルより、レンズキャップの装着状態が状態１であるかどうかを判定する（ステップＳ２１）。レンズキャップの装着状態が状態１であった場合には（ステップＳ２１：ＹＥＳ）、レンズキャップ装着状態判定部１１１は、撮影モード情報として「３Ｄ撮影モード」を、表示メッセージ情報として「メッセージ１」を、電力情報として「通常モード」を制御部１１０に通知する。制御部１１０はそれらの情報に基づいて、メッセージ送出部１０８によりメッセージ１を画像表示部１０７へ送出させ、画像表示部１０７によりメッセージ１を表示させる（ステップＳ２２）。次に、後述する３Ｄ撮影モード電源処理が実行され（ステップＳ２３）、続いて３Ｄ撮影モードの処理が実行される（ステップＳ２４）。
【００４５】
レンズキャップの装着状態が状態１でない場合（ステップＳ２１：ＮＯ）、レンズキャップ装着状態判定部１１１は、図５の処理テーブルを用いて、レンズキャップの装着状態が状態２であるかどうかを判定する（ステップＳ２５）。
【００４６】
レンズキャップの装着状態が状態２であった場合には（ステップＳ２５：ＹＥＳ）、レンズキャップ装着状態判定部１１１は、撮影モード情報として「２Ｄ撮影モードＬ」を、表示メッセージ情報として「メッセージ２」を、電力情報として「通常モード」を制御部１１０に通知する。制御部１１０はそれらの情報に基づいて、メッセージ送出部１０８によりメッセージ２を画像表示部１０７へ送出させ、画像表示部１０７によりメッセージ２を表示させる（ステップＳ２６）。次に、後述する２Ｄ撮影モードＬ電源処理が実行され（ステップＳ２７）、続いて２Ｄ撮影モードＬの処理が実行される（ステップＳ２８）。
【００４７】
レンズキャップの装着状態が状態２でない場合（ステップＳ２５：ＮＯ）、レンズキャップ装着状態判定部１１１は、図５の処理テーブルを用いて、レンズキャップの装着状態が状態３であるかどうかを判定する（ステップＳ２９）。
【００４８】
レンズキャップの装着状態が状態３であった場合には（ステップＳ２９：ＹＥＳ）、レンズキャップ装着状態判定部１１１は、撮影モード情報として「２Ｄ撮影モードＲ」を、表示メッセージ情報として「メッセージ３」を、電力情報として「通常モード」を制御部１１０に通知する。制御部１１０はそれらの情報に基づいて、メッセージ送出部１０８によりメッセージ３を画像表示部１０７へ送出させ、画像表示部１０７によりメッセージ３を表示させる（ステップＳ３０）。次に、後述する２Ｄ撮影モードＲ電源処理が実行され（ステップＳ３１）、続いて２Ｄ撮影モードＲの処理が実行される（ステップＳ３２）。
【００４９】
レンズキャップの装着状態が状態３でない場合（ステップＳ２９：ＮＯ）、レンズキャップの装着状態は状態４であるので、レンズキャップ装着状態判定部１１１は、撮影モード情報として「情報なし」を、表示メッセージ情報として「メッセージ４」を、電力情報として「省電力モード」を制御部１１０に通知する。制御部１１０はそれらの情報に基づいて、メッセージ送出部１０８によりメッセージ４を画像表示部１０７へ送出させ、画像表示部１０７によりメッセージ４を表示させる（ステップＳ３３）。その後、制御部１１０は、所定時間が経過したかどうかを判定する（ステップＳ３４）。
【００５０】
所定時間が経過しない場合（ステップＳ３４：ＮＯ）、ステップＳ０１〜ステップＳ３３の処理が繰り返し行われ、動作モード切り換え用ボタンの操作やレンズキャップの取り外しが行われないまま所定時間が経過した場合には（ステップＳ３４：ＹＥＳ）、制御部１１０は、撮影光学部制御部１０５を介して撮影光学部Ｌ１０２，撮影光学部Ｒ１０２、及び電源部１１４の電力モードを省電力モードに移行する（ステップＳ３５）。
【００５１】
次に、図７及び図８を用いて、前述した３Ｄ撮影モード電源処理、２Ｄ撮影モードＬ電源処理、及び、２Ｄ撮影モードＲ電源処理を説明する。
【００５２】
撮影時に使用されていない部分を省電力状態にすれば装置の消費電力を抑えることが出来る。本実施の形態の３Ｄ画像撮影装置では、２Ｄ撮影モード時には一方の撮影光学部のみが使用され、他方の撮影光学部は使用されない。未使用の撮影光学部を撮影光学部制御部１０５が制御することにより、省電力モードに切り換えれば装置の消費電力を抑えることが出来る。
【００５３】
図７は、各撮影モードと撮影光学部の電力モードとの関係について示した図であり、２Ｄ撮影モードＬ時には、撮影光学部制御部１０５の制御により、撮影光学部Ｒ１０２を省電力モードに切り換え、２Ｄ撮影モードＲ時には撮影光学部Ｌ１０１を省電力モードに切り換えることを示している。
【００５４】
次に、図８を用いて各撮影モードの電源処理を説明する。制御部１１０は、レンズキャップ装着状態判定部１１１から通知された撮影モード情報に基づいて、撮影光学部制御部１０５を介して、撮影光学部Ｌ１０１及び撮影光学部Ｒ１０２の電力モードを制御する。
【００５５】
まず、撮影モードが３Ｄ撮影モードの場合、制御部１１０は、撮影光学部制御部１０５を介して、撮影光学部Ｌ１０１が省電力モードであるかどうかを判定し（ステップＳ１０１）、撮影光学部Ｌ１０１が省電力モードであった場合には（ステップＳ１０１：ＹＥＳ）、撮影光学部Ｌ１０１を通常モードへ切り換える（ステップＳ１０２）。
【００５６】
他方、撮影光学部Ｌ１０１が省電力モードではない場合（ステップＳ１０１：ＮＯ）、制御部１１０は、撮影光学部制御部１０５を介して、撮影光学部Ｒ１０２が省電力モードであるかどうかを判定する（ステップＳ１０３）。撮影光学部Ｒ１０２が省電力モードであった場合には（ステップＳ１０３：ＹＥＳ）、制御部１１０は、撮影光学部制御部１０５を介して、撮影光学部Ｒ１０２を通常モードに切り換える（ステップＳ１０４）。撮影光学部Ｒ１０２が省電力モードではない場合（ステップＳ１０３：ＮＯ）、制御部１１０は、３Ｄ撮影モード電源処理を終了する。
【００５７】
次に、撮影モードが２Ｄ撮影モードＬの場合、制御部１１０は、撮影光学部制御部１０５を介して、撮影光学部Ｌ１０１が省電力モードであるかどうかを判定し（ステップＳ１１１）、撮影光学部Ｌ１０１が省電力モードであった場合には（ステップＳ１１１：ＹＥＳ）、撮影光学部Ｌ１０１を通常モードへ切り換える（ステップＳ１１２）。
【００５８】
他方、撮影光学部Ｌ１０１が省電力モードではない場合（ステップＳ１１１：ＮＯ）、制御部１１０は、撮影光学部制御部１０５を介して、撮影光学部Ｒ１０２が省電力モードであるかどうかを判定する（ステップＳ１１３）。撮影光学部Ｒ１０２が省電力モードでない場合には（ステップＳ１１３：ＮＯ）、制御部１１０は、撮影光学部制御部１０５を介して、撮影光学部Ｒ１０２を省電力モードに切り換える（ステップＳ１１４）。撮影光学部Ｒ１０２が省電力モードであった場合（ステップＳ１１３：ＹＥＳ）、制御部１１０は、２Ｄ撮影モードＬ電源処理を終了する。
【００５９】
次に、撮影モードが２Ｄ撮影モードＲの場合、制御部１１０は、撮影光学部制御部１０５を介して、撮影光学部Ｌ１０１が省電力モードであるかどうかを判定し（ステップＳ１２１）、撮影光学部Ｌ１０１が省電力モードでない場合には（ステップＳ１２１：ＮＯ）、撮影光学部Ｌ１０１を省電力モードへ切り換える（ステップＳ１２２）。
【００６０】
他方、撮影光学部Ｌ１０１が省電力モードであった場合（ステップＳ１２１：ＹＥＳ）、制御部１１０は、撮影光学部制御部１０５を介して、撮影光学部Ｒ１０２が省電力モードであるかどうかを判定する（ステップＳ１２３）。撮影光学部Ｒ１０２が省電力モードであった場合には（ステップＳ１２３：ＹＥＳ）、制御部１１０は、撮影光学部Ｒ１０２を撮影光学部制御部１０５を介して、通常モードに切り換える（ステップＳ１２４）。撮影光学部Ｒ１０２が省電力モードでない場合（ステップＳ１２３：ＮＯ）、制御部１１０は、２Ｄ撮影モードＲ電源処理を終了する。
【００６１】
次に、図９及び図１０を用いて３Ｄ撮影モード判定処理を説明する。まず、図９を用いて手動選択モード時の各撮影モードに対する処理テーブルを説明する。この手動選択モード時の各撮影モードに対する処理テーブルはＲＯＭ１１２に格納されており、レンズキャップ装着状態判定部１１１は、この処理テーブルとレンズキャップの装着状態とから、表示メッセージの選択、及び、所定時間経過後の省電力モード移行処理の要否判定を行う。
【００６２】
図９において、Ａ欄は手動により選択された撮影モードを示しており、Ｂ欄は図５で示したレンズキャップＬ（ｂ）及びレンズキャップＲ（ｄ）の装着状態を示しており、Ｃ欄はその個々の状態に対するレンズキャップの状態を示している。Ｄ欄、Ｅ欄はメッセージ送出部１０８より出力され画像表示部１０７により表示される表示メッセージの番号と表示内容を示しており、Ｆ欄は電源部１１４の最終的な動作モードを示している。
【００６３】
３Ｄ撮影モード手動選択時、レンズキャップの装着状態が状態１であれば正常な３Ｄ撮影が可能であるので、この場合は、画像表示部１０７は、メッセージ５の「３Ｄ撮影モードで動作中です。」を表示し、現在動作中の撮影モードをユーザに認知させる。また、この時、電源部１１４からは通常モードで電力が供給される。状態２から状態４の場合は正常な３Ｄ撮影は出来ないので、これらの場合はレンズキャップの取り外しを促す旨の表示メッセージである表示メッセージ６から表示メッセージ８が画像表示部１０７により表示される。また、この時、所定時間が経過しても同じ状態が継続している場合には、制御部１１０の制御により電源部１１４の電力モードは省電力モードに移行する。
【００６４】
２Ｄ撮影モードＬ手動選択時、レンズキャップの装着状態が状態２であれば正常な２Ｄ撮影が可能であるので、この場合は、画像表示部１０７は、メッセージ１０の「２Ｄ撮影モード（左）で動作中です。」を表示し、現在動作中の撮影モードをユーザに認知させる。状態１の場合も正常な２Ｄ撮影が可能であるが、レンズキャップＲ（ｄ）が外れており、レンズＲ（ｃ）を破損する可能性があるので、この場合は、画像表示部１０７は、メッセージ９の「レンズキャップ（右）が外れています。注意して下さい。」をメッセージ１０に加えて表示し、現在動作中の撮影モードとレンズＲ（ｃ）の破損警告とをユーザに通知する。
【００６５】
また、状態１と状態２においては、正常の２Ｄ撮影が可能なので、電源部１１４からは通常モードで電力が供給される。状態３と状態４の場合は正常な２Ｄ撮影は出来ないので、これらの場合はレンズキャップの取り外しを促す旨の表示メッセージである表示メッセージ１１と表示メッセージ１２が画像表示部１０７により表示される。また、この時、所定時間が経過しても同じ状態が継続している場合には、制御部１１０の制御により電源部１１４は省電力モードに移行する。
【００６６】
２Ｄ撮影モードＲ手動選択時、レンズキャップの装着状態が状態３であれば正常な２Ｄ撮影が可能であるので、この場合は、画像表示部１０７は、メッセージ１５の「２Ｄ撮影モード（右）で動作中です。」を表示し、現在動作中の撮影モードをユーザに認知させる。状態１の場合も正常な２Ｄ撮影が可能であるが、レンズキャップＬ（ｂ）が外れており、レンズＬ（ａ）を破損する可能性があるので、この場合は、画像表示部１０７は、メッセージ１３の「レンズキャップ（左）が外れています。注意して下さい。」をメッセージ１５に加えて表示し、現在動作中の撮影モードとレンズＬ（ａ）の破損警告をユーザに通知する。
【００６７】
また、状態１と状態３においては、正常の２Ｄ撮影が可能なので、電源部１１４からは通常モードで電力が供給される。状態２と状態４の場合は正常な２Ｄ撮影は出来ないので、これらの場合はレンズキャップの取り外しを促す旨の表示メッセージである表示メッセージ１４と表示メッセージ１６が画像表示部１０７により表示される。また、この時、所定時間が経過しても同じ状態が継続している場合には、制御部１１０の制御により電源部１１４は省電力モードに移行する。
【００６８】
次に、図１０を用いて３Ｄ撮影モード判定処理を説明する。レンズキャップ装着状態判定部１１１は、ステップＳ０２で取得したレンズキャップＬ（ｂ）及びレンズキャップＲ（ｄ）の装着状態と、図９の処理テーブルより、レンズキャップの装着状態が状態１であるかどうかを判定する（ステップＳ４１）。
【００６９】
レンズキャップの装着状態が状態１であった場合には（ステップＳ４１：ＹＥＳ）、レンズキャップ装着状態判定部１１１は、撮影モード情報として「３Ｄ撮影モード」を、表示メッセージ情報として「メッセージ５」を、電力情報として「通常モード」を制御部１１０に通知する。制御部１１０はそれらの情報に基づいて、メッセージ送出部１０８によりメッセージ５を画像表示部１０７へ送出させ、画像表示部１０７によりメッセージ５を表示させる（ステップＳ４２）。次に、前述の３Ｄ撮影モード電源処理が実行され（ステップＳ４３）、続いて３Ｄ撮影モードの処理が実行される（ステップＳ４４）。
【００７０】
レンズキャップの装着状態が状態１でない場合（ステップＳ４１：ＮＯ）、レンズキャップ装着状態判定部１１１は、図９の処理テーブルを用いて、レンズキャップの装着状態が状態２であるかどうかを判定する（ステップＳ４５）。
【００７１】
レンズキャップの装着状態が状態２であった場合には（ステップＳ４５：ＹＥＳ）、レンズキャップ装着状態判定部１１１は、撮影モード情報として「モード無し」を、表示メッセージ情報として「メッセージ６」を、電力情報として「省電力モード」を制御部１１０に通知する。制御部１１０はそれらの情報に基づいて、まずメッセージ送出部１０８によりメッセージ６を画像表示部１０７へ送出させ、画像表示部１０７によりメッセージ６を表示させ（ステップＳ４６）、その後、所定時間が経過したかどうかを判定する（ステップＳ４７）。
【００７２】
所定時間が経過しない場合（ステップＳ４７：ＮＯ）、ステップＳ０１〜ステップＳ４６の処理が繰り返し行われ、動作モード切り換え用ボタンの操作やレンズキャップの取り外しが行われないまま所定時間が経過した場合には（ステップＳ４７：ＹＥＳ）、制御部１１０は、撮影光学部制御部１０５を介して撮影光学部Ｌ１０１，撮影光学部Ｒ１０２を省電力モードとし、また電源部１１４の電力モードを省電力モードに移行する（ステップＳ４８）。
【００７３】
レンズキャップの装着状態が状態２でない場合（ステップＳ４５：ＮＯ）、レンズキャップ装着状態判定部１１１は、図９の処理テーブルを用いて、レンズキャップの装着状態が状態３であるかどうかを判定する（ステップＳ４９）。
【００７４】
レンズキャップの装着状態が状態３であった場合には（ステップＳ４９：ＹＥＳ）、レンズキャップ装着状態判定部１１１は、撮影モード情報として「モード無し」を、表示メッセージ情報として「メッセージ７」を、電力情報として「省電力モード」を制御部１１０に通知する。制御部１１０はそれらの情報に基づいて、まずメッセージ送出部１０８によりメッセージ７を画像表示部１０７へ送出させ、画像表示部１０７によりメッセージ７を表示させ（ステップＳ５０）、その後、所定時間が経過したかどうかを判定する（ステップＳ５１）。
【００７５】
所定時間が経過しない場合（ステップＳ５１：ＮＯ）、ステップＳ０１〜ステップＳ５０の処理が繰り返し行われ、動作モード切り換え用ボタンの操作やレンズキャップの取り外しが行われないまま所定時間が経過した場合には（ステップＳ５１：ＹＥＳ）、制御部１１０は、撮影光学部制御部１０５を介して撮影光学部Ｌ１０１，撮影光学部Ｒ１０２Ｒを省電力モードとし、また電源部１１４の電力モードを省電力モードに移行する（ステップＳ５２）。
【００７６】
レンズキャップの装着状態が状態３でない場合（ステップＳ４９：ＮＯ）、レンズキャップの装着状態は状態４であるので、レンズキャップ装着状態判定部１１１は、撮影モード情報として「モード無し」を、表示メッセージ情報として「メッセージ８」を、電力情報として「省電力モード」を制御部１１０に通知する。制御部１１０はそれらの情報に基づいて、まずメッセージ送出部１０８によりメッセージ８を画像表示部１０７へ送出させ、画像表示部１０７によりメッセージ８を表示させ（ステップＳ５３）、その後、所定時間が経過したかどうかを判定する（ステップＳ５４）。
【００７７】
所定時間が経過しない場合（ステップＳ５４：ＮＯ）、ステップＳ０１〜ステップＳ５３の処理が繰り返し行われ、動作モード切り換え用ボタンの操作やレンズキャップの取り外しが行われないまま所定時間が経過した場合には（ステップＳ５４：ＹＥＳ）、制御部１１０は、撮影光学部制御部１０５を介して撮影光学部Ｌ１０１，撮影光学部Ｒ１０２を省電力モードとし、また電源部１１４の電力モードを省電力モードに移行する（ステップＳ５５）。
【００７８】
次に、図１１を用いて２Ｄ撮影モードＬ判定処理を説明する。
【００７９】
レンズキャップ装着状態判定部１１１は、ステップＳ０２で取得したレンズキャップＬ（ｂ）及びレンズキャップＲ（ｄ）の装着状態と、図９の処理テーブルより、レンズキャップの装着状態が状態１であるかどうかを判定する（ステップＳ６１）。
【００８０】
レンズキャップの装着状態が状態１であった場合には（ステップＳ６１：ＹＥＳ）、レンズキャップ装着状態判定部１１１は、撮影モード情報として「２Ｄ撮影モードＬ」を、表示メッセージ情報として「メッセージ９」を、電力情報として「通常モード」を制御部１１０に通知する。制御部１１０はそれらの情報に基づいて、メッセージ送出部１０８によりメッセージ９を画像表示部１０７へ送出させ、画像表示部１０７によりメッセージ９を表示させる（ステップＳ６２）。次に、前述の２Ｄ撮影モードＬ電源処理が実行され（ステップＳ６３）、続いて２Ｄ撮影モードＬの処理が実行される（ステップＳ６４）。
【００８１】
レンズキャップの装着状態が状態１でない場合（ステップＳ６１：ＮＯ）、レンズキャップ装着状態判定部１１１は、図９の処理テーブルを用いて、レンズキャップの装着状態が状態２であるかどうかを判定する（ステップＳ６５）。
【００８２】
レンズキャップの装着状態が状態２であった場合には（ステップＳ６５：ＹＥＳ）、レンズキャップ装着状態判定部１１１は、撮影モード情報として「２Ｄ撮影モードＬ」を、表示メッセージ情報として「メッセージ１０」を、電力情報として「通常モード」を制御部１１０に通知する。制御部１１０はそれらの情報に基づいて、メッセージ送出部１０８によりメッセージ１０を画像表示部１０７へ送出させ、画像表示部１０７によりメッセージ１０を表示させる（ステップＳ６６）。次に、前述の２Ｄ撮影モードＬ電源処理が実行され（ステップ６７）、続いて２Ｄ撮影モードＬの処理が実行される（ステップＳ６８）。
【００８３】
レンズキャップの装着状態が状態２でない場合（ステップＳ６５：ＮＯ）、レンズキャップ装着状態判定部１１１は、図９の処理テーブルを用いて、レンズキャップの装着状態が状態３であるかどうかを判定する（ステップＳ６９）。
【００８４】
レンズキャップの装着状態が状態３であった場合には（ステップＳ６９：ＹＥＳ）、レンズキャップ装着状態判定部１１１は、撮影モード情報として「モード無し」を、表示メッセージ情報として「メッセージ１１」を、電力情報として「省電力モード」を制御部１１０に通知する。制御部１１０はそれらの情報に基づいて、まずメッセージ送出部１０８によりメッセージ１１を画像表示部１０７へ送出させ、画像表示部１０７によりメッセージ１１を表示させ（ステップＳ７０）、その後、所定時間が経過したかどうかを判定する（ステップＳ７１）。
【００８５】
所定時間が経過しない場合（ステップＳ７１：ＮＯ）、ステップＳ０１〜ステップＳ７０の処理が繰り返し行われ、動作モード切り換え用ボタンの操作やレンズキャップの取り外しが行われないまま所定時間が経過した場合には（ステップＳ７１：ＹＥＳ）、制御部１１０は、撮影光学部制御部１０５を介して撮影光学部Ｒ１０２を省電力モードに移行し、また電源部１１４の電力モードを省電力モードに移行する（ステップＳ７２）。
【００８６】
レンズキャップの装着状態が状態３でない場合（ステップＳ６９：ＮＯ）、レンズキャップの装着状態は状態４であるので、レンズキャップ装着状態判定部１１１は、撮影モード情報として「モード無し」を、表示メッセージ情報として「メッセージ１２」を、電力情報として「省電力モード」を制御部１１０に通知する。制御部１１０はそれらの情報に基づいて、まずメッセージ送出部１０８によりメッセージ１２を画像表示部１０７へ送出させ、画像表示部１０７によりメッセージ１２を表示させ（ステップＳ７３）、その後、所定時間が経過したかどうかを判定する（ステップＳ７４）。
【００８７】
所定時間が経過しない場合（ステップＳ７４：ＮＯ）、ステップＳ０１〜ステップＳ７３の処理が繰り返し行われ、動作モード切り換え用ボタンの操作やレンズキャップの取り外しが行われないまま所定時間が経過した場合には（ステップＳ７４：ＹＥＳ）、制御部１１０は、撮影光学部制御部１０５を介して撮影光学部Ｌ１０１，撮影光学部Ｒ１０２を省電力モードに移行し、また電源部１１４の電力モードを省電力モードに移行する（ステップＳ７５）。
【００８８】
次に、図１２を用いて２Ｄ撮影モードＲ判定処理を説明する。
【００８９】
レンズキャップ装着状態判定部１１１は、ステップＳ０２で取得したレンズキャップＬ（ｂ）及びレンズキャップＲ（ｄ）の装着状態と、図９の処理テーブルより、レンズキャップの装着状態が状態１であるかどうかを判定する（ステップＳ８１）。
【００９０】
レンズキャップの装着状態が状態１であった場合には（ステップＳ８１：ＹＥＳ）、レンズキャップ装着状態判定部１１１は、撮影モード情報として「２Ｄ撮影モードＲ」を、表示メッセージ情報として「メッセージ１３」を、電力情報として「通常モード」を制御部１１０に通知する。制御部１１０はそれらの情報に基づいて、メッセージ送出部１０８によりメッセージ１３を画像表示部１０７へ送出させ、画像表示部１０７によりメッセージ１３を表示させる（ステップＳ８２）。次に、前述した２Ｄ撮影モードＲ電源処理が実行され（ステップＳ８３）、続いて２Ｄ撮影モードＲの処理が実行される（ステップＳ８４）。
【００９１】
レンズキャップの装着状態が状態１でない場合（ステップＳ８１：ＮＯ）、レンズキャップ装着状態判定部１１１は、図９の処理テーブルを用いて、レンズキャップの装着状態が状態２であるかどうかを判定する（ステップＳ８５）。
【００９２】
レンズキャップの装着状態が状態２であった場合には（ステップＳ８５：ＹＥＳ）、レンズキャップ装着状態判定部１１１は、撮影モード情報として「モード無し」を、表示メッセージ情報として「メッセージ１４」を、電力情報として「省電力モード」を制御部１１０に通知する。制御部１１０はそれらの情報に基づいて、まずメッセージ送出部１０８によりメッセージ１４を画像表示部１０７へ送出させ、画像表示部１０７によりメッセージ１４を表示させ（ステップＳ８６）、その後、所定時間が経過したかどうかを判定する（ステップＳ８７）。
【００９３】
所定時間が経過しない場合（ステップＳ８７：ＮＯ）、ステップＳ０１〜ステップＳ８６の処理が繰り返し行われ、動作モード切り換え用ボタンの操作やレンズキャップの取り外しが行われないまま所定時間が経過した場合には（ステップＳ８７：ＹＥＳ）、制御部１１０は、撮影光学部制御部１０５を介して撮影光学部Ｌ１０１を省電力モードに移行し、また電源部１１４の電力モードを省電力モードに移行する（ステップＳ８８）。
【００９４】
レンズキャップの装着状態が状態２でない場合（ステップＳ８５：ＮＯ）、レンズキャップ装着状態判定部１１１は、図９の処理テーブルを用いて、レンズキャップの装着状態が状態３であるかどうかを判定する（ステップＳ８９）。
【００９５】
レンズキャップの装着状態が状態３であった場合には（ステップＳ８９：ＹＥＳ）、レンズキャップ装着状態判定部１１１は、撮影モード情報として「２Ｄ撮影モードＲ」を、表示メッセージ情報として「メッセージ１５」を、電力情報として「通常モード」を制御部１１０に通知する。制御部１１０はそれらの情報に基づいて、メッセージ送出部１０８によりメッセージ１５を画像表示部１０７へ送出させ、画像表示部１０７によりメッセージ１５を表示させる（ステップＳ９０）。次に、前述した２Ｄ撮影モードＲ電源処理が実行され（ステップＳ９１）、続いて２Ｄ撮影モードＲの処理が実行される（ステップＳ９２）。
【００９６】
レンズキャップの装着状態が状態３でない場合（ステップＳ８９：ＮＯ）、レンズキャップの装着状態は状態４であるので、レンズキャップ装着状態判定部１１１は、撮影モード情報として「モード無し」を、表示メッセージ情報として「メッセージ１６」を、電力情報として「省電力モード」を制御部１１０に通知する。制御部１１０はそれらの情報に基づいて、まずメッセージ送出部１０８によりメッセージ１５を画像表示部１０７へ送出させ、画像表示部１０７によりメッセージ１５を表示させ（ステップＳ９３）、その後、所定時間が経過したかどうかを判定する（ステップＳ９４）。
【００９７】
所定時間が経過しない場合（ステップＳ９４：ＮＯ）、ステップＳ０１〜ステップＳ９３の処理が繰り返し行われ、動作モード切り換え用ボタンの操作やレンズキャップの取り外しが行われないまま所定時間が経過した場合には（ステップＳ９４：ＹＥＳ）、制御部１１０は、撮影光学部制御部１０５を介して撮影光学部Ｌ１０１，撮影光学部Ｒ１０２を省電力モードに移行し、また電源部１１４の電力モードを省電力モードに移行する（ステップＳ９５）。
【００９８】
上述したように、本実施の形態の３Ｄ画像撮影装置は、レンズキャップの着脱により２Ｄ撮影モードと３Ｄ撮影モードとの切り替えを自ら行うので、ユーザは煩わしいボタン操作を行うことなく、撮影モードの切り替えが出来る。また、本実施の形態の３Ｄ画像撮影装置は、撮影モードに応じたレンズキャップ着脱状態の正誤判定を行うので、レンズキャップの外し忘れによる撮影ミスや、接近してくる物体に気づかないことによるレンズ破損を未然に防止することが出来る。
【００９９】
尚、上述した実施の形態では、２個のレンズを有する画像撮影装置を説明したが、画像撮影装置はこれに限定されるものではない。本発明の画像撮影装置は、有するレンズの数に応じた処理テーブルを用意することにより、３個以上のレンズを有する場合にも対応可能である。また、撮影光学部Ｌ１０１，Ｒ１０２を制御部１１０によって制御によって省電力状態とする方法は、上述の実施の形態で説明した方法に限定されない。例えば、図１１のステップＳ６１の場合、レンズキャップの装着状態が状態１であるが、撮影モードは２Ｄ撮影モードＬなので、使用しない撮影光学部Ｒ１０２を制御部１１０の制御により、省電力状態とするように制御してもよい。すなわち、ユーザにより選択された撮影モードに対応しない撮影光学部Ｌ１０１またはＲ１０２を制御部１１０によって省電力状態とするようにしてもよい。
【符号の説明】
【０１００】
１０１  撮影光学部Ｌ、  １０２  撮影光学部Ｒ、  １０３  レンズキャップ検出部Ｌ、  １０４  レンズキャップ検出部Ｒ、  １０５  撮影光学部制御部、  １０６  記録部、  １０７  画像表示部、  １０８  メッセージ送出部、  １０９  操作部、  １１０  制御部、  １１１  レンズキャップ装着状態判定部、  １１２  ＲＯＭ、  １１３  ＲＡＭ、  １１４  電源部。
【図１】
2011059278.tif 000003
【図２】
2011059278.tif 000004
【図３】
2011059278.tif 000005
【図４】
2011059278.tif 000006
【図５】
2011059278.tif 000007
【図６】
2011059278.tif 000008
【図７】
2011059278.tif 000009
【図８】
2011059278.tif 000010
【図９】
2011059278.tif 000011
【図１０】
2011059278.tif 000012
【図１１】
2011059278.tif 000013
【図１２】
2011059278.tif 000014